(57)【要約】【課題】  身体への良好な装着感を保持することができ、且つ、バイアステープの固定を簡単にすることが可能な装具を提供する。【解決手段】  身体に装着される本体部と、本体部の外周に沿って設けられるバイアステープと、本体部の外周の少なくとも一部が反外周側へ切り欠かれ、バイアステープのたわみがでる大きさの半径の曲線部分を有する開口部と、開口部の曲線部分に、開口部側から反開口部側に向かって切り込まれている切込み部と、を備えている個対応装具。【選択図】図２
0003180100.tif 000002
【実用新案登録請求の範囲】
【請求項１】
身体に装着される本体部と、
前記本体部の外周に沿って設けられるバイアステープと、
前記本体部の外周の少なくとも一部が反外周側へ切り欠かれ、前記バイアステープのたわみがでる大きさの半径の曲線部分を有する開口部と、
前記開口部の前記曲線部分に、前記開口部側から反開口部側に向かって切り込まれている切込み部と、
を備えている個対応装具。
【請求項２】
前記開口部の前記曲線部分の半径は１ｍｍ〜２０ｍｍである
請求項１に記載の個対応装具。
【請求項３】
前記切込み部は、前記開口部側から前記反開口部側端部に向かって尻すぼみに切り込まれており、略三角形状である
請求項１または２に記載の個対応装具。
【請求項４】
前記個対応装具は膝用装具であり、
前記開口部は前記身体の膝蓋骨に位置し、
前記本体部が前記身体の前記膝蓋骨の少なくとも一部を覆う
請求項１〜３のいずれか１項に記載の個対応装具。
【考案の詳細な説明】
【技術分野】
【０００１】  本考案は、個対応装具に関する。より詳しくは、医療分野、スポーツ分野、日用品分野などにおいて、人体の所定部位の保護、支持、固定、矯正、牽引、採形等を行う、人体に装着するための個対応装具に関する。
【背景技術】
【０００２】  従来、個対応装具は（外周から反外周側（内側）に向かって切断されている）開口部に対してバイアステープを固定する場合、バイアステープを固定する作業の便宜上、個対応装具の外周は、所定のゆるやかな曲線状（略直線状）でなければならず、急な曲線状のままバイアステープを固定することが困難であった。
しかしながら、例えば、個対応装具の一つである膝用装具は、所定のゆるやかな曲線状の開口部を膝蓋骨等の部位に位置するようにした場合、膝用装具は、膝周辺を大きく回避した構成となり、身体に対してずれ落ちてしまう恐れがあった。
上述した課題に対して、例えば、図５に示すように、引用文献１に開示されている膝サポーター（膝用装具）１は、本体部に構成された谷部（開口部）２に相当する位置に、膝当て部材３を配置している。膝当て部材３は、湾曲状（円状）の衝撃吸収部材であり、膝蓋骨部に接触し続けることができ、膝部の屈折にあっても膝サポーター１のずれを防止している。
【先行技術文献】
【特許文献】
【０００３】
【特許文献１】  特開２００４−１６２１８３号公報（図１）
【考案の概要】
【考案が解決しようとする課題】
【０００４】  上述したように、開口部を大きくし、（個対応装具の）本体部の身体に対しての接触面積を低減した場合、個対応装具が身体に対してずれ落ちてしまい、固定力を低減する恐れがあった。この固定力の低減に対して、個対応装具は、他の固定部材（例えば、（上述した）膝当て部材）を備えると、（個対応装具の）固定力の低減を補う（ずれを防止する）ことができるようになるものの、構成が複雑になるとともに、製造コストが上昇してしまう恐れがあった。
一方、個対応装具は、固定部材を設けずに、開口部をより小さくし、本体部の身体に対しての接触面積を広げた場合、個対応装具の身体に対するずれを防止することができ、使用者に良好な装着感を与えることができる。しかしながら、（開口部の外周に）バイアステープを固定する作業において、作業者は、（個対応装具の）開口部の急な曲線部分に対して、（開口部が所定のゆるやかな曲線であることが必要とされる）バイアステープの固定をすることが困難となる。
上述した課題を解決するため、本考案の目的は、バイアステープの固定を簡単にすることができ、且つ良好な装着感を与えることが可能な個対応装具を提供することにある。
【課題を解決するための手段】
【０００５】  上記課題を解決するために、本考案は、身体に装着される本体部と、前記本体部の外周に沿って設けられるバイアステープと、前記本体部の外周の少なくとも一部が反外周側へ切り欠かれ、前記バイアステープのたわみがでる大きさの半径の曲線部分を有する開口部と、前記開口部の前記曲線部分に、前記開口部側から反開口部側に向かって切り込まれている切込み部と、を備えている個対応装具を提供する。【０００６】  まず、図４を用いて、『バイアステープのたるみがでる半径の曲線部分』について説明する。
（生地１４に装着する前段階の）バイアステープ１０は、糸１２が「所定の間隔（図４における縦方向長さＩ１、横方向長さＪ１）を有した格子状」に規則正しく組み合わされた織物である（図４（Ａ）参照）。バイアステープ１０を緩やかな曲線部分を有する生地１４の外周に設ける場合、（バイアステープ１０を構成する）糸１２は、糸１２同士の距離をほぼ変化していない「所定の間隔（図４における縦方向長さＩ１、横方向長さＪ１）を有した格子状」のままである（図４（Ｂ）参照）。これに対し、バイアステープ１０を急激な曲線部分を有する生地１４の外周に設ける場合、曲線の（半径方向）内側における（バイアステープ１０の）糸１２同士の距離は短くなる（図４における円周方向長さ（縦方向長さ）Ｉ３（＜Ｉ１））のに対し、（半径方向）曲線の外側における（バイアステープ１０の）糸１２同士の距離は長くなり（図４における円周方向長さ（縦方向長さ）Ｉ２（＞Ｉ１））、糸１２同士の間隔が（半径方向）曲線の内側から外側にかけて広がる。即ち、バイアステープ１０は、たわんだ状態（（バイアステープ１０を構成する）糸１２同士の距離が一定でない状態）で生地１４に固定される（図４（Ｃ）参照）。
即ち、『バイアステープのたわみがでる大きさの半径の曲線部分』とは、（所定の太さのバイアステープを構成する）糸同士の間隔が一定でない状態で生地に固定される、所定の半径を有する部分をいう。【０００７】  本考案にかかる個対応装具は、（本体部の外周に構成される）開口部にバイアステープのたわみがでるほど急な曲線部分を有することにより、開口部の（本体部における）開口面積をより小さくすることができるため、本体部と身体の接触面積を広く確保することができ、結果として、身体に対してずれ落ちにくく、良好な装着感を使用者に与え続けることができる。更に、開口部に対してバイアステープを固定する作業において、作業者は、開口部を広げると、（開口部の急な曲線部分に設けられた）切込み部も広げることになり、開口部の急な曲線部分をゆるい角度の曲線（略直線状）にすることができ、開口部にバイアステープの固定を簡単にすることができる。
【考案の効果】
【０００８】  本考案によれば、身体への良好な装着感を保持することができ、且つ、バイアステープの固定を簡単にすることが可能な個対応装具を提供することができる。
【図面の簡単な説明】
【０００９】
【図１】  本考案の実施形態の一例に係る膝用装具（個対応装具）の装着状態を表す状態図である。
【図２】  本考案の実施形態の一例に係る（縫製後の）膝用装具（個対応装具）を説明する模式的平面図である。
【図３】  図２に示す本考案の実施形態の一例に係る（縫製前の）膝用装具（個対応装具）のＮ部の拡大図である。
【図４】  個体応装具に設けたバイアステープ周辺の概念図。
【図５】  従来の膝用装具（個対応装具）の一例に係る膝用装具の模式的平面図。
【考案を実施するための形態】
【００１０】  以下、本考案を実施するための好適な形態について、添付の図面を参照して詳細に説明する。なお、以下に説明する実施形態は、本考案の代表的な実施形態の一例を示したものであり、これにより本考案の範囲が狭く解釈されることはない。
図１〜図３を用いて、本実施形態に係る個対応装具１００について説明する。本実施形態では、『個対応装具』として、身体の膝に装着する『膝用装具１００』を説明する。
図１は、本考案の実施形態の一例に係る膝用装具（個対応装具）１００の装着状態を表す状態図である。図２は、本考案の実施形態の一例に係る（縫製後の）膝用装具（個対応装具）１００を説明する模式的平面図である。
本実施形態に係る膝用装具１００は、本体部１０４を身体１０２に装着し、（本体部１０４に備えられている）第１〜第３本体面ファスナ１０６，１０８，１１０を係合させた上で、（本体部１０４に一端が固定されている）第１、第２固定ベルト１１２、１１４を本体部１０４に係合させることにより、膝用パッド１１６が膝蓋骨１１８周辺の固有覚を刺激しつつ、膝蓋骨１１８を所定の位置に安定させることができる。
【００１１】  以下で、膝用装具１００の本体部１０４を中心とした周辺の構造について説明する。
本実施形態に係る膝用装具（個対応装具）１００は、主に、身体１０２に装着される本体部１０４と、本体部１０４の外周１０５に沿って設けられるバイアステープ１４９と、本体部１０４の外周１０５の（少なくとも）一部が反外周側（換言すれば、本体部１０４の内側）へ切り欠かれ、バイアステープ１４９のたわみがでる大きさの半径の曲線部分１３９を有する開口部１４７と、開口部１４７の曲線部分１３９に、開口部１４７側から反開口部側に向かって切り込まれている切込み部１５５と、を備えている。
本体部１０４は、位置Ｍにおける縦断面の構造が（身体１０２側から反身体側に向かって）天竺生地−圧縮ウレタン−フレンチパイルである３層構造を有している。本体部１０４（の生地）は、伸張時４Ｎにおいて、モジュラス２０％（許容範囲：２〜８Ｎ）の伸縮率を有している。
なお、本体部には、ダブルラッセル等の通気性素材を全部もしくは一部配置する事も可能である。また、本体部には、ジャージ生地、パイル生地、ネオプレーン等の素材を用いてもよい。
本体部１０４は、第１本体部１２８、第２本体部１３０、及び第３本体部１３２を有している。（膝用装具１００を身体１０２に装着した場合に、）第１本体部１２８が膝の内側から膝の表側に位置し、第２本体部１３０が膝の裏側に位置し、第３本体部１３２が膝の外側から膝の表側に位置する。
膝用装具１００は、（開口部１４７を外周１０５の一部に有する）本体部１０４の外周１０５に沿ってバイアステープ１４９が設けられている。本実施形態では、『１本』のバイアステープ１４９が本体部１０４の外周１０５に沿って縫製されている。バイアステープ１４９は、ナイロン、ポリウレタンを主な材料としており、１８ｍｍ幅のテープ状の布地である。バイアステープ１４９は、本体部１０４の外周１０５に対して、半分に折って縫製している（縫製時のバイアステープ１４９の幅Ｋは９ｍｍである。）。
なお、バイアステープの幅は、５〜１０ｍｍでもよい。また、バイアステープを２つ折り（半分折り）だけでなく、４つ折りにして本体部に固定してもよい。
第１、第３本体部１２８、１３２の外周１０５の一部には、第１〜第３開口部１４２、１４４、１４６が構成されている。より具体的には、第１本体部１２８の外周１０５の一部には、第２開口部１４４、第３開口部１４６が構成されている。第３本体部１３２の外周１０５には、第１開口部１４２が構成されている。
第１、第２開口部（開口部）１４２、１４４は、身体１０２の『凸部』および／または『可動部』に位置し、本体部１０４が凸部および／または可動部の（少なくとも）一部を覆っている。
ここで、『凸部』とは、身体において主に骨が突出して形成されている骨突起部又は腹圧等の圧力を逃すための、上肢、下肢、又は体幹に位置する部位を指す。『可動部』とは、身体において動作させることが可能であって、上肢、下肢、又は体幹に位置する部位を指す。
まず、『凸部』について詳述する。凸部として、『上肢』においては、上腕骨部、橈骨部、又は尺骨部が挙げられる。そして、上腕骨部としては、より具体的には、上腕骨内側上顆部や上腕骨外側上顆部等の上腕骨顆部又は肘頭部が挙げられる。また、橈骨部としては、より具体的には、橈骨茎状突起部が挙げられ、尺骨部としては、尺骨茎状突起部又は尺骨頭部、肘頭部が挙げられる。また、凸部として、『下肢』においては、膝蓋骨部、大腿骨部、脛骨部、腓骨部、及び舟状骨部が挙げられる。そして、大腿骨部としては、より具体的には、大腿骨の内側顆部や大腿骨の外側顆部等の大腿骨顆部が挙げられる。また、脛骨部としては、より具体的には、脛骨の内側顆部又は外側顆部、内果、脛骨粗面が挙げられ、腓骨としては、外果が挙げられ、舟状骨部としては、舟状骨粗面部が挙げられる。また、凸部として、『体幹』においては、腸骨部又は胸骨部が挙げられ、腸骨部としては、より具体的には、腸骨稜部が挙げられる。また、凸部として、体幹においては、腹部も挙げられる。
次に、『可動部』について詳述する。可動部として、『上肢』においては、肘の関節部、手の関節部、手首の関節部、指の関節部が挙げられる。そして、肘の関節部としては、腕尺関節部、腕橈関節部、又は上橈尺関節部等の肘関節部が挙げられる。また、手の関節としては、より具体的には、橈骨手根関節部、手根間関節部、手根中央関節部、若しくは豆状骨関節部等の手根の関節部、指の関節部、より具体的には、手根中手関節部、母指の手根中手関節部、若しくは中手間関節部等の中手の関節、又は中手指節関節部や手の指節間関節部等の指の関節部が挙げられる。また、可動部として、『下肢』においては、膝の関節部、足の関節部、足の指の関節部が挙げられる。そして、膝の関節部としては、より具体的には、膝関節部が挙げられ、足の関節部としては、距腿関節部、距骨下関節部、又はショパール関節部等の足関節部が挙げられる。また、可動部として、『体幹』においては、腹部が挙げられる。
本実施形態では、第１、第２開口部（開口部）１４２、１４４は身体１０２の（凸部に該当する）膝蓋骨１１８に位置し、本体部１０４が身体１０２の膝蓋骨１１８の（少なくとも）一部を覆っている。
また、第２開口部１４４は、身体１０２の大腿部１４８に位置している。
【００１２】  本実施形態に係る『第１〜第３開口部』１４２、１４４、１４６は、本考案に係る『開口部』に相当する。以下では、第１〜第３開口部１４２、１４４、１４６の代表として、第１開口部１４２（及び第１開口部１４２の周辺の構造）について詳述する。
図３は、図２に示す本考案の実施形態の一例に係る（縫製前の）膝用装具（個対応装具）１００のＮ部の拡大図である。
第１開口部（開口部）１４２は、本体部１０４の外周１０５の（少なくとも）一部が反外周側へ切り欠かれ、バイアステープ１４９のたわみがでる大きさの半径の第１曲線部分１４１を有する構造である。第１切込み部（切込み部）１５０は、第１開口部１４２の第１曲線部分１４１に、第１開口部１４２側から反第１開口部側に向かって切り込まれている。
【００１３】  まず、第１開口部１４２について説明する。
第１開口部１４２は、位置Ａから位置Ｃまでの長さＰを有する（第３本体部１３２）における孔である。第１開口部１４２は、第１切り込み部１５０に接する第１開口部１４２の反第１開口部側端部（位置Ｃ）まで延びる、対向する第１開口辺１２０と第２開口辺１２４を備えている。
第１開口部１４２は、位置Ａから（反第１開口部側の）位置Ｂに向かって末広がりに、第１開口辺１２０と第２開口辺１２４の間の長さＸが長くなっている。『第１開口辺１２０と第２開口辺１２４の間の長さ』とは、図３に示すように、第１開口辺１２０から第２開口辺１２４に向かって垂直方向（方向Ｇ）における長さをいう。位置Ｂから位置Ｃ（第１開口部１４２の端部）に向かって尻すぼみに、第１開口辺１２０と第２開口辺１２４の間の長さＸが短くなっている。本実施形態において、第１開口部１４２の第１開口辺１２０から対向する第２開口辺１２４の間の最大長さＺは１０ｍｍである。
なお、（後述する第１切込み部の縫製（固定）作業後の）第１開口辺と第２開口辺の間の最大長さは、本体に対してのバイアステープの縫製（固定）作業のし易さと、身体への良好な装着感を保持する観点から、５ｍｍ〜３０ｍｍであることが好ましく、より好ましくは５ｍｍ〜１５ｍｍである。（第１切込み部の縫製前において、第１開口部の第１開口辺と第２開口辺の間の最大長さは、５ｍｍ〜５０ｍｍであることが好ましく、より好ましくは１０ｍｍ〜３０ｍｍである。）
本実施形態において、（縫製後の）第１開口部１４２の第１曲線部分１４１の半径は１０ｍｍである（図２参照）。
『（後述する）第１切込み部１５０がない状態で』第１開口部１４２に沿ってバイアステープ１４９を縫製する場合、第１曲線部分１４１の（半径方向）内側における（バイアステープの）糸同士の距離は短くなるのに対し、第１曲線部分１４１の（半径方向）外側における（バイアステープ１４９の）糸同士の距離は長くなり、糸同士の間隔が曲線の（半径方向）内側から外側にかけて広がる。この場合、バイアステープ１４９はたわんだ状態（（バイアステープ１４９を構成する）糸同士の距離が一定でない状態）で第３本体部１３２に縫製（固定）される。即ち、第１開口部の曲線部分の半径は、バイアステープ１４９のたわみがでる大きさの半径である（Ｒ＝１０ｍｍ）。
なお、開口部の（本体部における）開口面積をより小さくし、（身体に対してのずれ落ちを防止する）本体部と身体の接触面積を広く確保することから、（縫製後の）開口部の曲線部分の半径は１ｍｍ〜２０ｍｍであることが好ましく、５ｍｍ〜１５ｍｍであることがより好ましい。
【００１４】  次に、第１切込み部１５０について説明する。
第１切込み部（切込み部）１５０は、第１開口部１４２の第１曲線部分１４１に、第１開口部１４２側（より具体的には、第１開口部１４２の端部：位置Ｃ）から反第１開口部側に向かって切り込まれている。
本実施形態において、（縫製前の）第１切込み部１５０は、第１開口部１４２（位置Ｃ）側から反第１開口部側に向かって尻すぼみ形状に切り込まれており、略三角形状（扇状）である。
２本の第１、第２切込み線１５４、１５６は、第１切込み部１５０の（反第１開口部側）の切込み端部（切込み端点）１５９に向かって延びており、略三角形状の第１切込み部１５０を形成している。
本実施形態において、第１切込み部１５０は、第１開口部１４２に接する位置Ｃ（第１開口部側端部）から反第１開口部側切込み端部１５９までの長さＬが２０ｍｍである。
なお、本体部に対してのバイアステープの縫製作業のし易さと身体への良好な装着感を保持する観点から、１０ｍｍ〜３０ｍｍであることが好ましく、より好ましくは１５ｍｍ〜２５ｍｍである。
上記第１開口部１４２、第１切込み部１５０と同様に、本実施形態に係る第２、第３開口部１４４、１４６が本考案に係る『開口部』に該当し、第２、第３切込み部１５１、１５３が本考案の『切込み部』に該当する。
即ち、第２、第３開口部（開口部）１４４、１４６は、本体部１０４の外周１０５の（少なくとも）一部が反外周側へ切断され、バイアステープ１４９のたわみがでる大きさの半径の第２、第３曲線部分１４３、１４５を有している。第２、第３切込み部（切込み部）１５１、１５３は、第２、第３開口部（開口部）１４４、１４６の第２、第３曲線部分１４３、１４５に、第２、第３開口部１４４、１４６側から反第２、第３開口部側に向かって切り込まれている。
【００１５】  次に、本実施形態にかかる膝用装具１００の作用効果について説明する。
本実施形態に係る膝装具１００は、身体１０２に装着される本体部１０４と、本体部１０４の外周１０５に沿って設けられるバイアステープ１４９と、本体部１０４の外周１０５の（少なくとも）一部が反外周側へ切り欠かれ、バイアステープ１４９のたわみがでる大きさの半径の第１〜第３曲線部分１４１、１４３、１４５を有する第１〜第３開口部１４２、１４４、１４６と、第１〜第３開口部１４２、１４４、１４６の第１〜第３曲線部分１４１、１４３、１４５に、第１〜第３開口部１４２、１４４、１４６側から反第１〜第３開口部側に向かって切り込まれている第１〜第３切込み部１５０、１５１、１５３と、を備えている。この構成は、（本体部の外周に構成される）第１〜第３開口部１４２、１４４、１４６にバイアステープ１４９のたわみがでる大きさの半径である急な第１〜第３曲線部分１４１、１４３、１４５を有することにより、第１〜第３開口部１４２、１４４、１４６をより小さくすることができるため、本体部１０４と身体１０２の接触面積を広く確保することができ、結果として、身体１０２に対してずれ落ちにくく、良好な装着感を使用者に与え続けることができる。第１〜第３開口部１４２、１４４、１４６の開口面積を小さくした構成（第１〜第３開口部１４２、１４４、１４６周辺の生地をできるだけ残存させた構成）は、第１〜第３開口部１４２、１４４、１４６の周辺に大きな第２、第３本体面ファスナ１０８、１１０を配置し（換言すれば、第２、第３本体面ファスナ１０８、１１０の接地面積を大きくし）、身体１０２への装着性能を向上させたり、『身体１０２の皮膚の感覚受容器を刺激する凹凸部を（身体１０２側に）備えた』膝用パッド１１６を配置することにより、装着者に膝用装具１００のずれを認識させ、身体１０２への良好な装着感を継続して与え続けることができたりする。更に、本実施形態において、（反第１〜第３開口部側端部から第１〜第３開口部１４２、１４４、１４６側に向かって）扇状に切り欠かれている第１〜第３切込み部１５０、１５１、１５３（より具体的には、第１〜第３切込み部１５０、１５１、１５３の第１、第３、第５切込み辺１５４と第２、第４、第６切込み辺１５６：第３〜第６切込み辺は図示略）を縫い合わせることにより、第１〜第３切込み部１５０、１５１、１５３周辺に身体１０２側から反身体側に向かって立体的なふくらみ（立体形状）を構成することができ、膝用装具１００を身体１０２によりフィットさせることができ、身体１０２への装着感をより良好にすることができる。特に、（身体１０２の膝蓋骨１１８に位置する）第１、第２開口部１４２、１４４の第１、第２切込み部１５０、１５１は、膝蓋骨１１８によりフィットした立体形状を構成し、膝を屈曲させた時のしわが新たに現れるのを防止し、膝用装具１００のずれを防止することができる。これにより、膝用装具１００は、身体１０２への装着感をより良好にすることができる。
更に、第１〜第３開口部１４２、１４４、１４６に対してバイアステープ１４９を縫製（固定）する作業において、作業者は、第１〜第３開口部１４２、１４４、１４６を両側に広げることにより（より具体的には、例えば、第１開口部１４２における第１開口辺１２０を方向Ｅ、第２開口辺１２４を方向Ｆに広げることにより）、（第１〜第３開口部１４２、１４４、１４６の急な第１〜第３曲線部分１４１、１４３、１４５に設けられた）第１〜第３切込み部１５０、１５１、１５３が広がり、第１〜第３開口部１４２、１４４、１４６の急な第１〜第３曲線部分１４１、１４３、１４５をゆるい角度の曲線（略直線状）にすることができ、バイアステープ１４９の固定を簡単にすることができる。
以上のことにより、本実施形態に係る膝装具（個対応装具）１００は、身体１０２への良好な装着感を保持することができ、且つ、バイアステープ１４９の縫製（固定）を簡単にすることができる。
【００１６】  本考案に係る『個対応装具』は、上記実施形態に示した『個対応装具（膝用装具）』に限らず、他の構成でもよい。
上記実施形態の『個対応装具（膝用装具）』において、『第１〜第３開口部』の『全て』の開口部を、本考案に係る『開口部』に相当するとしているが、これに限らず、『第１〜第３開口部』の『一部（任意に選択した１つでもよいし、２つでもよい）』でもよい。また、開口部の『数』は、上記実施形態の開口部よりも多くしてもよいし、少なくしてもよい。
上記実施形態において、切込み部は『開口部側から反開口部側端部に向かって扇状に切り込まれている』形状であるが、これに限らず、他の形状（矩形状、線状、円状  等）でもよい。切込み部の『数』、『大きさ』についても、上記実施形態に限らず、複数設けてもよいし、大きくしてもよいし、小さくしてもよい。
なお、（本体部の外周に対しての）バイアステープの『固定』方法については、本実施形態に示す『縫製』だけでなく、例えば、接着剤による固定等の他の固定方法でもよい。
本考案に係る個対応装具の一例として、膝に装着する膝用装具ついて説明したが、本考案はこれに限定されず、人体の様々な部位に用いる装具として利用できる。例えば、足用装具、腕用装具、腰用装具、手用装具、胸用装具、肩用装具、頚部用装具、脊柱用装具、股関節用装具等として利用できる。
上記実施形態において、開口部の（切込み部に接する）反開口部側端部まで、対向する第１開口辺と第２開口辺に対して、同一のバイアステープを固定するが、開口部の第１開口辺と第２開口辺に対して別々のバイアステープを固定してもよい。
【符号の説明】
【００１７】１００  ：膝用装具（個対応装具）
１０２  ：身体
１０４（１２８、１３０、１３２）  ：本体部（第１〜第３）
１０５  ：外周
１０６、１０８、１１０  ：第１、第２、第３本体面ファスナ
１１２、１１４  ：第１、第２固定ベルト
１１６  ：膝用パッド
１１８  ：膝蓋骨
１２０、１２４  ：第１、第２開口辺
１２８、１３０、１３２  ：第１、第２、第３本体部
１３９（１４１、１４３、１４５）  ：曲線部分（第１〜第３）
１４７（１４２、１４４、１４６）  ：開口部（第１〜第３）
１４８  ：大腿部
１４９  ：バイアステープ
１５５（１５０、１５１、１５３）  ：切込み部（第１〜第３）
１５４、１５６  ：第１、第２切込み辺
１５９  ：切込み端部
【図１】
0003180100.tif 000003
【図２】
0003180100.tif 000004
【図３】
0003180100.tif 000005
【図４】
0003180100.tif 000006
【図５】
0003180100.tif 000007